(57)【要約】      （修正有）【課題】  衝撃が加わって本体が破損した際の原因調査に役立つ情報を得ることができ、再発防止策を講じる際に利用することが可能なショックセンサ付電気機器を提供する。【解決手段】  ショックセンサ２０が具備する加速度センサ２１により所定の閾値を越える加速度が計測されたことを受けて、本体の電源が入らないよう制御するとともに、加速度センサ２１の計測値が閾値を越えた日時、すなわち、本体に衝撃が加わった日時を日時デ−タ２４ａとしてＥＥＰＲＯＭ２４に記録しておき、出力命令に応じてＰＣ２００に日時デ−タ２４ａを出力するように構成されているため、その日時から衝撃が加わった原因についておおよその目安を付けることかでき、破損が起こった場合の調査に役立たせることが可能となる。【選択図】図２
0003110397.tif 000002
【実用新案登録請求の範囲】
【請求項１】
衝撃を検知するショックセンサが内蔵され、表示画面が３０インチを超えるショックセンサ付テレビジョン受信装置において、
上記ショックセンサは、
加速度を計測する加速度計側手段と、
上記加速度計測手段にて計測される加速度を監視する監視手段と、
上記加速度計測手段にて計測された加速度が所定の閾値を超えたことを受けて、本体の電源が入らないようにする電源制御手段と、
上記電源制御手段による電源制御が行われた旨を報知するＬＥＤランプからなる報知手段と、
上記加速度計測手段にて計測された加速度が所定の閾値を超えたときの日時を記録するＥＥＰＲＯＭと
を具備することを特徴とするショックセンサ付テレビジョン受信装置。
【請求項２】
衝撃を検知するショックセンサが内蔵されたショックセンサ付電気機器において、
上記ショックセンサは、
加速度を計測する加速度計側手段と、
上記加速度計測手段にて計測される加速度を監視する監視手段と、
上記加速度計測手段にて計測された加速度が所定の閾値を超えたことを受けて、本体の電源が入らないようにする電源制御手段と、
上記加速度計測手段にて計測された加速度が所定の閾値を超えたときの日時を記録する記録手段と
を具備することを特徴とするショックセンサ付電気機器。
【請求項３】
上記電源制御手段による電源制御が行われた旨を報知する報知手段を具備することを特徴とする請求項２に記載のショックセンサ付電気機器。
【請求項４】
上記報知手段は、ＬＥＤランプであることを特徴とする請求項３に記載のショックセンサ付電気機器。
【請求項５】
上記電気機器はテレビジョン受信装置であることを特徴とする請求項２〜４のいずれかに記載のショックセンサ付電気機器。
【請求項６】
上記電気機器は、表示画面が３０インチを超えるテレビジョン受信装置であることを特徴とする請求項５に記載のショックセンサ付電気機器。
【請求項７】
上記電気機器は、テレビリモコンであり、
上記電源制御手段は、上記加速度計測手段にて計測された加速度が所定の閾値を超えたことを受けて、テレビジョン受信装置の本体の電源が入らないように制御する制御信号を、同テレビジョン受信装置に対して送信することを特徴とする請求項２〜４のいずれかに記載のショックセンサ付電気機器。
【請求項８】
上記記録手段は、ＥＥＰＲＯＭであることを特徴とする請求項２〜７のいずれかに記載のショックセンサ付電気機器。
【考案の詳細な説明】
【技術分野】
【０００１】
本考案は、輸送時等に加わった衝撃を検知するショックセンサが内蔵されたショックセンサ付電気機器に関し、特に、ショックセンサが内蔵されたショックセンサ付テレビジョン受信装置に関するものである。
【背景技術】
【０００２】
従来、テレビジョン受信装置等の電気機器に搬送時に落下等による衝撃が加わったときに、電源電圧の供給を遮断する等して本体の電源が入らないように制御するショックセンサ付電気機器が知られている（例えば、特許文献１〜３参照）。落下等により破損したときに内部に高電圧がかかっている電気機器を動作させることは大変危険であるため、このようなショックセンサ付電気機器を採用することにより安全性に優れたものとなる。
【特許文献１】特開平１１−０３２２７７号公報
【特許文献２】特開２０００−０５０１８４号公報
【特許文献３】特開２０００−２８７１４６号公報
【考案の開示】
【考案が解決しようとする課題】
【０００３】
しかしながら、上述した特許文献１〜３に記載のショックセンサ付電気機器では、電気機器が出荷されてからどの時点で衝撃が加わったか特定することができず、破損時の原因を調査することが困難であるという問題があった。
【０００４】
本考案は、かかる実情に鑑み、衝撃が加わって本体が破損した際の原因調査に役立つ情報を得ることができ、再発防止策を講じる際に利用することが可能なショックセンサ付電気機器を提供するものである。
【課題を解決するための手段】
【０００５】
上記目的を達成するため、請求項２にかかる考案は、衝撃を検知するショックセンサが内蔵されたショックセンサ付電気機器において、
上記ショックセンサは、
加速度を計測する加速度計側手段と、
上記加速度計測手段にて計測される加速度を監視する監視手段と、
上記加速度計測手段にて計測された加速度が所定の閾値を超えたことを受けて、本体の電源が入らないようにする電源制御手段と、
上記加速度計測手段にて計測された加速度が所定の閾値を超えたときの日時を記録する記録手段と
を具備する構成としてある。
【０００６】
上記のように構成した請求項２において、ショックセンサ付電気機器は、衝撃を検知するショックセンサを内蔵しており、このショックセンサは、加速度を計測する加速度計測手段と、同加速度計測手段にて計測される加速度を監視する監視手段とを具備している。すなわち、電気機器に加わった加速度を計測することができるとともに、その計測結果を随時監視するように構成されているのである。
【０００７】
また、上記ショックセンサは、計測された加速度が所定の閾値を超えたことを受けて本体の電源が入らないようにする電源制御手段を具備している。これにより、落下等により本体が破損したときに電源がオンにされ、本体が動作してしまう危険性を回避することが可能となり、安全性に優れたものとなる。
【０００８】
さらに、上記ショックセンサは、上記加速度計測手段にて計測された加速度が所定の閾値を超えたときの日時を記録する記録手段を具備している。このように構成することにより、上記記録手段に記録されている日時を読み出せば、工場からの出荷前に衝撃が加わったのか、または、出荷後の搬送時に衝撃が加わったのかについて、その日時からおおよその目安を付けることができるため、破損の原因の調査に役立たせることが可能となる。
【０００９】
また、請求項３にかかる考案は、上記電源制御手段による電源制御が行われた旨を報知する報知手段を具備する構成としてある。
上記のように構成した請求項３にかかる考案では、電源制御手段による電源制御が行われた結果、電源が入らなくなったことを認識することができる。
【００１０】
また、請求項４にかかる考案は、上記報知手段がＬＥＤランプからなる構成としてある。
上記のように構成した請求項４において、ＬＥＤランプの点灯または点滅等することにより電源制御が行われたことを報知することが可能となる。
【００１１】
また、請求項５にかかる考案は、上記電気機器がテレビジョン受信装置である構成としてある。
上記のように構成した請求項５にかかる考案では、搬送中等に衝撃が加わったときに電源を入らなくする制御を行うことができるとともに、同衝撃が加わったときの日時を記憶することが可能なショックセンサ付テレビジョン受信装置とすることが可能となる。
【００１２】
また、請求項６にかかる考案は、上記電気機器が、表示画面が３０インチを超えるテレビジョン受信装置である構成としてある。
上記のように構成した請求項６にかかる考案において、３０インチを超える大型のテレビジョン受信装置では、落下により破損し易いため、ショックセンサを内蔵して衝撃が加わった日時を監視することの効果を充分に享受することができる。
【００１３】
また、請求項７にかかる考案は、上記電気機器が、テレビリモコンであり、上記電源制御手段は、上記加速度計測手段にて計測された加速度が所定の閾値を超えたことを受けて、テレビジョン受信装置の本体の電源が入らないように制御する制御信号を、同テレビジョン受信装置に対して送信する構成してある。
上記のように構成した請求項７において、通常、テレビジョン受信装置とそのテレビリモコンは同梱されるため、テレビリモコンにショックセンサを内蔵させても、テレビジョン受信装置に内蔵させた場合と同様の効果を得ることが可能となる。
【００１４】
また、請求項８にかかる考案は、上記記録手段がＥＥＰＲＯＭである構成としてある。
上記のように構成した請求項８において、日時の記録及び読み出しをＥＥＰＲＯＭにて行うことが可能となる。
【考案の効果】
【００１５】
本考案の請求項２にかかる考案では、衝撃が加わって本体が破損した際の原因調査に役立つ情報を得ることができ、再発防止策を講じる際に利用することが可能となる。
請求項３にかかる考案では、電源制御手段による電源制御が行われた結果、電源が入らなくなったことを認識することができる。
請求項４にかかる考案では、ＬＥＤランプの点灯または点滅等することにより電源制御が行われたことを報知することが可能となる。
請求項５にかかる考案では、搬送中等に衝撃が加わったときに電源を入らなくする制御を行うことができるとともに、同衝撃が加わったときの日時を記憶することが可能なショックセンサ付テレビジョン受信装置とすることが可能となる。
請求項６にかかる考案では、ショックセンサを内蔵して衝撃が加わった日時を監視することの効果を充分に享受することができる。
請求項７にかかる考案では、テレビジョン受信装置に内蔵させた場合と同様の効果を得ることが可能となる。
請求項８にかかる考案では、日時の記録及び読み出しをＥＥＰＲＯＭにて行うことが可能となる。
【考案を実施するための最良の形態】
【００１６】
ここでは、下記の順序に従って本考案の実施の形態について説明する。
（１）ショックセンサ付テレビジョン受信装置の外観：
（２）ショックセンサの内部構成：
（３）ショックセンサ付テレビジョン受信装置の動作：
（４）各種変形例：
（５）まとめ：
【００１７】
（１）ショックセンサ付テレビジョン受信装置の外観：
以下、図面に基づいて本考案の実施形態を説明する。なお、以下の説明では、本考案のショックセンサ付電気機器を、テレビジョン受信装置に適用する場合について説明するが、本考案のショックセンサ付電気機器において、ショックセンサを内蔵する電気機器としてはテレビジョン受信装置に限定されるものではなく、ビデオデッキやＤＶＤプレ−ヤ等、各種の電気機器に適用することが可能である。
【００１８】
図１は、実施形態にかかるショックセンサ付テレビジョン受信装置の外観図である。同図において、ショックセンサ付テレビジョン受信装置１０は、受信したテレビジョン放送信号に基づく映像、および、ビデオテ−プの再生映像を表示させるためのディスプレイ１１を具備している。このディスプレイ１１は、ブラウン管からなるものであるが、液晶表示器やＰＤＰ表示器からなるものであってもよい。また、ディスプレイ１１の下側には、受信チャンネルの選択等の各種の設定操作を行う操作パネル部１３が設けられている。
また、操作パネル部１３の右上には、報知手段としての非常停止報知ランプ１２が設けられている。この非常停止報知ランプ１２は、ＬＥＤランプからなるものであり、後述する加速度センサ２１により所定の閾値を越える加速度が計測され、本体の電源を入らなくする制御がなされたときに、その旨を報知するために点灯するものである。
【００１９】
図２は、図１に示したショックセンサ付テレビジョン受信装置１０が具備するショックセンサの概略構成を示すブロック図である。同図において、ショックセンサ２０は、図１に示したショックセンサ付テレビジョン受信装置１０に内蔵されているものであり、加速度センサ２１、内蔵カレンダ２２、マイコン２３、ＥＥＰＲＯＭ２４および電源回路２５を具備している。
加速度センサ２１は、加速度計側手段として機能するものであり、ショックセンサ付テレビジョン受信装置１０の本体に衝撃が加わったときには、その加速度を計測し、マイコン２３に出力する。この加速度センサ２１は、単に加速度の大きさのみを計測するものであってもよく、加速度の大きさと加速度の方向との両方を計測することができるものであってもよい。また、加速度センサ２１は、接触型の加速度センサであってもよく非接触型の加速度センサであってもよい。
【００２０】
内蔵カレンダ２２は、現在の日時を計測するものであり、加速度センサ２１により所定の閾値を超える加速度が計測されたときには、そのときの日時（○○年○○月○○日  ○○時○○分）を、ＥＥＰＲＯＭ２４に日時デ−タとして出力する。
マイコン２３は、加速度センサ２１により計測された加速度を入力するとともに、計測された加速度が、図示しないＲＯＭ等に予め記憶されている所定の閾値を超えているか否かの判定を行い、超えている場合には、内蔵カレンダ２２から現在の日時を読み出すとともに、その日時を日時デ−タ２４ａとしてＥＥＰＲＯＭ２４に記録させる処理を行う。このマイコン２３は、監視手段として機能するものである。また、マイコン２３は、加速度センサ２１により計測された加速度が所定の閾値を超えている場合には、テレビジョン側の電源回路１００における各装置への電力の供給を切り替えるリレ−スイッチ９０を制御し、電源オンの操作を行ってもショックセンサ付テレビジョン受信装置１０の電源が入らないようにする。なお、このマイコン２３は、ショックセンサ付テレビジョン受信装置１０におけるテレビジョン映像を表示させるための各種の制御を行うテレビジョンマイコン（図示せず）とは、別個に独立して設けられるものである。
【００２１】
ＥＥＰＲＯＭ２４には、加速度センサ２１により計測された加速度が、所定の閾値を越えたときの日時に関する日時デ−タ２４ａが内蔵カレンダ２２から読み出されて記録される。
図３は、ＥＥＰＲＯＭ２４に記録されている日時デ−タ２４ａの一例を示す図である。同図において、加速度センサ２１により計測された加速度が、所定の閾値を超えたときの日時が示されている。図３に示した例では、所定の閾値を超えたときの日時のみが記録されている。
【００２２】
図４は、ＥＥＰＲＯＭ２４に記録されている日時デ−タ２４ａの別の一例を示す図である。同図では、加速度センサ２１の計測値が所定の閾値を越えたときの日時とともに、そのときの加速度の大きさが記録されている。図４に示した例では、ＥＥＰＲＯＭ２４に記録されている日時およびそのときの加速度は、３つであり、これら３つの加速度のうち、最小の加速度（６．１ｍ／ｓ２）を超える加速度が計測されたときには、その日時および加速度がＥＥＰＲＯＭ２４に上書きされる。
【００２３】
ショックセンサ２０は、外部装置としてのＰＣ（パ−ソナルコンピュ−タ）２００と接続可能であり、所定の操作を行うことにより、ＥＥＰＲＯＭ２４に記録されている日時デ−タ２４ａを、ＰＣ２００に対して出力可能となっている。
また、電源回路２５は、ショックセンサ２０を構成する各種装置、すなわち、加速度センサ２１、内蔵カレンダ２２、マイコン２３に電力を供給するためのものである。なお、本実施形態においては、ショックセンサ２０の電源回路２５が、テレビジョン受信装置側の電源回路１００と別個に設けられているが、テレビジョン受信装置側の電源回路１００からショックセンサ２０の各種装置に電力が供給されるように構成されていてもよい。
【００２４】
（３）ショックセンサ付テレビジョン受信装置の動作：
図５は、図２に示したショックセンサ２０において実行される。ショックセンサ制御処理の流れを示すフロ−チャ−トである。このショックセンサ制御処理が実行されると、まず、ステップＳ１００において、加速度センサ２１により計測された加速度を入力する。そして、ステップＳ１１０において入力された加速度が所定の閾値を超えているか否かを判定する。所定の閾値を超えていないと判定した場合にはショックセンサ制御処理を終了させる一方、所定の閾値を超えていると判定した場合には、つづくステップＳ１２０において電源オン不能化処理を実行する。この処理では、リレ−スイッチ９０を制御し、ショックセンサ付テレビジョン受信装置１０のテレビ電源をオンにしても、各装置に電力が供給されないようにし、ショックセンサ付テレビジョン受信装置１０を動作させないようにする。
【００２５】
ステップＳ１２０の処理を実行すると、次に、ステップＳ１３０において非常停止報知ランプ１２を点灯させる処理を実行し、衝撃が加わったことを受けて電源を入らなくする制御が行われた旨を報知させる。ステップＳ１３０の処理を実行すると、次に、ステップＳ１４０において日時デ−タを更新する処理を行う。この処理において、ステップＳ１１０の処理において所定の閾値を超えたと判断されたときの日時を内蔵カレンダ２２から読み出してＥＥＰＲＯＭ２４に記録させることにより、日時デ−タ２４ａを更新する。
【００２６】
ステップＳ１４０の処理を実行すると、次に、ステップＳ１５０において日時デ−タの出力命令があったか否かを判定する。この処理において、ショックセンサ２０に接続されたＰＣ２００等から、ＥＥＰＲＯＭ２４ａに記録されている日時デ−タ２４ａを出力する旨の指示の入力があったか否かを判定する。出力命令がなかったと判定した場合、ショックセンサ制御処理を終了させる一方、出力命令があったと判定した場合には、ＥＥＰＲＯＭ２４ａに記録されている日時デ−タ２４ａをＰＣ２００に出力し、ショックセンサ制御処理を終了させる。
【００２７】
（４）各種変形例：
上述した実施形態においては、ショックセンサがテレビジョン受信装置に内蔵されている場合について説明したが、本考案のショックセンサ付電気機器において、ショックセンサを内蔵する電気機器としてはテレビジョン受信装置に限定されるものではなく、ビデオデッキやＤＶＤプレ−ヤ、ハ−ドディスクプレ−ヤ等各種の電気機器を適用することが可能である。
また、テレビジョン受信装置にショックセンサを内蔵する場合の他、テレビジョン受信装置のテレビリモコンにショックセンサを内蔵するようにしてもよい。この場合、ショックセンサにより加速度が所定の閾値を超えたと判断した場合には、テレビジョン受信装置側に電源を入らなくする制御を行わせるための制御信号を、赤外線明滅信号としてテレビジョン受信装置に対して送信するように構成する必要がある。一方、テレビジョン受信装置側では、スタンバイ状態のときに、テレビリモコンからの赤外線明滅信号を受光可能なようにしておく必要がある。
【００２８】
さらに、実施形態においては、ショックセンサのマイコンが、テレビマイコンとは別個に設けられている場合について説明したが、本考案においては、テレビマイコンによりショックセンサの各種装置の制御（加速度センサ２１の制御や、リレ−スイッチ９０の制御等）を行わせるようにしてもよい。
【００２９】
（４）まとめ：
以上説明したように、実施形態にかかるショックセンサ付テレビジョン受信装置１０では、ショックセンサ２０が具備する加速度センサ２１により所定の閾値を越える加速度が計測されたことを受けて、本体の電源が入らないよう制御するとともに、加速度センサ２１の計測値が閾値を越えた日時、すなわち、本体に衝撃が加わった日時を日時デ−タ２４ａとしてＥＥＰＲＯＭ２４に記録しておき、出力命令に応じてＰＣ２００に日時デ−タ２４ａを出力するように構成されているため、その日時から衝撃が加わった原因についておおよその目安を付けることかでき、破損が起こった場合の調査に役立たせることが可能となる。
【図面の簡単な説明】
【００３０】
【図１】実施形態にかかるショックセンサ付テレビジョン受信装置の外観図である。
【図２】図１に示したショックセンサ付テレビジョン受信装置１０が具備するショックセンサの概略構成を示すブロック図である。
【図３】日時デ−タの一例を示す図である。
【図４】日時デ−タの別の一例を示す図である。
【図５】ショックセンサ制御処理の流れを示すフロ−チャ−トである。
【符号の説明】
【００３１】
１０…ショックセンサ付テレビジョン受信装置
１１…ディスプレイ
１２…非常停止報知ランプ
１３…操作パネル部
２０…ショックセンサ
２１…加速度センサ
２２…内蔵カレンダ
２３…マイコン
２４ＥＥＰＲＯＭ
２４ａ…日時デ−タ
２５…電源回路
９０…リレ−スイッチ
１００…テレビジョン側電源回路
２００…ＰＣ
【図１】
0003110397.tif 000003
【図２】
0003110397.tif 000004
【図３】
0003110397.tif 000005
【図４】
0003110397.tif 000006
【図５】
0003110397.tif 000007